(57)【要約】【課題】外観形状に関わらず、日射の影響が室内に及ぶ事態を低減すること。【解決手段】枠体１０の室内側となる部分に設けられた内面材２０と、内面材２０との間に空間を確保した状態で枠体１０の室外側となる部分に設けられた外面材３０とを備える建具であって、枠体１０は、内面材２０を支持する内枠部分１１０と、外面材３０を支持する外枠部分１２０とを有し、内枠部分１１０は、左右の内縦枠部１１３、内上枠部１１１及び内下枠部１１２有した矩形の枠状に構成されており、外枠部分１２０は、内縦枠部１１３と一体に成形されている外縦枠部１２１を有するとともに、外縦枠部１２１の上端部間に上方に向けて凸となるアーチ状の外上枠部１２３を有し、内枠部分１１０とは異なる外形に構成されている。【選択図】図５
2018071285.tif 000002
【特許請求の範囲】
【請求項１】
枠体の室内側となる部分に設けられた内面材と、前記内面材との間に空間を確保した状態で前記枠体の室外側となる部分に設けられた外面材とを備える建具であって、
前記枠体は、前記内面材を支持する内枠部分と、前記外面材を支持する外枠部分とを有し、
前記内枠部分は、左右の内縦枠部及び上下の内横枠部を有した矩形の枠状に構成されており、
前記外枠部分は、少なくとも一部に前記内枠部分と一体に成形されている共通枠部分を有し、かつ前記内枠部分とは異なる外形に構成されていることを特徴とする建具。
【請求項２】
前記内枠部分の上方に配置される内横枠部には、前記外枠部分との間に位置する部分の下面に、遮蔽部材を昇降可能に支持した遮蔽装置が配設されていることを特徴とする請求項１に記載の建具。
【請求項３】
前記内面材は、前記内枠部分に対して開放可能に支持されていることを特徴とする請求項１または請求項２に記載の建具。
【請求項４】
前記内枠部分には、前記内面材を上下に分断するように内無目枠部が設けられ、
前記内面材は、前記内無目枠部によって分断された上方部分及び下方部分にそれぞれ個別に開放可能に支持されていることを特徴とする請求項３に記載の建具。
【請求項５】
前記外枠部分の上方部には、室内側と室外側との間で通気を行う通気通路を有した外無目枠部が前記外面材を上下に分断するように設けられ、
前記内枠部分の下方に配置される内横枠部と、前記外枠部分の下方部との間には、前記外面材と前記内面材との間の空間を外部に連通させる通気口が設けられていることを特徴とする請求項１〜請求項４のいずれか一つに記載の建具。
【請求項６】
室内に設けられる天井パネルの水平方向に沿った延長上となる部位に前記外無目枠部が設けられていることを特徴とする請求項５に記載の建具。
【請求項７】
前記外枠部分は、前記内枠部分と一体に成形される左右の外縦枠部を有し、上方に向けて凸となるように構成した外横枠部によって前記左右の外縦枠部の上端部間が連結されていることを特徴とする請求項１〜請求項６のいずれか一つに記載の建具。
【請求項８】
前記内枠部分と前記外枠部分とによって囲まれる領域がカバーパネルによって覆われていることを特徴とする請求項１〜請求項７のいずれか一つに記載の建具。
【発明の詳細な説明】
【技術分野】
【０００１】
本発明は、枠体の室内側となる部分に設けられた内面材と、内面材との間に空間を確保した状態で枠体の室外側となる部分に設けられた外面材とを備える建具に関するものである。
【背景技術】
【０００２】
従来より建具には、外面材と内面材との間に空間を確保することによって断熱性を向上させるようにしたものがある。さらにこの種の建具には、外面材と内面材との間に確保した空間に遮蔽装置を配設したものも提供されている（例えば、特許文献１参照）。遮蔽装置は、例えば複数のスラットが昇降する横型のブラインド装置である。遮蔽装置を備えた建具によれば、日射の影響が室内に及ぶ事態を防止することができるようになる。
【先行技術文献】
【特許文献】
【０００３】
【特許文献１】特開２００９−１５００９９号公報
【発明の概要】
【発明が解決しようとする課題】
【０００４】
ところで、建築物の外観に対してデザイン性が要求される場面では、建具として矩形以外の外観形状を呈するものが適用されることも多い。例えば、上枠に相当する部分が、上方に向けて凸となるように湾曲させたアーチ状となった建具が適用されることもある。
【０００５】
しかしながら、上枠に相当する部分がアーチ状の建具では、日射の影響を防止しようとしても、外面材と内面材との間に遮蔽装置を配設することが困難となる。こうした問題は、上枠に相当する部分がアーチ状以外であっても、三角形状や両隅が面取りされた形状のように、枠体の下方部に比較して上方部が狭幅となっているものであれば、同様に生じ得るものである。
【０００６】
本発明は、上記実情に鑑みて、外観形状に関わらず、日射の影響が室内に及ぶ事態を低減することのできる建具を提供することを目的とする。
【課題を解決するための手段】
【０００７】
上記目的を達成するため、本発明に係る建具は、枠体の室内側となる部分に設けられた内面材と、前記内面材との間に空間を確保した状態で前記枠体の室外側となる部分に設けられた外面材とを備える建具であって、前記枠体は、前記内面材を支持する内枠部分と、前記外面材を支持する外枠部分とを有し、前記内枠部分は、左右の内縦枠部及び上下の内横枠部を有した矩形の枠状に構成されており、前記外枠部分は、少なくとも一部に前記内枠部分と一体に成形されている共通枠部分を有し、かつ前記内枠部分とは異なる外形に構成されていることを特徴とする。
【０００８】
この発明によれば、外枠部分の形状に関わらず、内枠部分を矩形の枠状に構成しているため、内枠部分の上方に位置する内横枠部に日射を遮る遮蔽装置を配設すれば、日射の影響が室内に及ぶ事態を低減することが可能となる。
【０００９】
また本発明は、上述した建具において、前記内枠部分の上方に配置される内横枠部には、前記外枠部分との間に位置する部分の下面に、遮蔽部材を昇降可能に支持した遮蔽装置が配設されていることを特徴とする。
【００１０】
この発明によれば、遮蔽部材を適宜昇降させることにより、日射を遮る状態と日射を遮らない状態とに容易に切り替えることが可能となる。
【００１１】
また本発明は、上述した建具において、前記内面材は、前記内枠部分に対して開放可能に支持されていることを特徴とする。
【００１２】
この発明によれば、内面材を開放することにより、外面材において室内に臨む表面の掃除を容易に行うことができる。
【００１３】
また本発明は、上述した建具において、前記内枠部分には、前記内面材を上下に分断するように内無目枠部が設けられ、前記内面材は、前記内無目枠部によって分断された上方部分及び下方部分にそれぞれ個別に開放可能に支持されていることを特徴とする。
【００１４】
この発明によれば、内面材の開放単位が小さくなるため、さらには内無目枠部によって分断された２つの部分に互いに開閉方向が異なるように支持させることが可能となり、室内側に確保する内面材の開放スペースを低減することができるようになる。
【００１５】
また本発明は、上述した建具において、前記外枠部分の上方部には、室内側と室外側との間で通気を行う通気通路を有した外無目枠部が前記外面材を上下に分断するように設けられ、前記内枠部分の下方に配置される内横枠部と、前記外枠部分の下方部との間には、前記外面材と前記内面材との間の空間を外部に連通させる通気口が設けられていることを特徴とする。
【００１６】
この発明によれば、外無目枠部の通気通路及び外枠部分の下方部に設けた通気口を通じて外面材と内面材との間に確保した空間の換気を行うことができ、日射の影響が室内に及ぶ事態をより確実に防止することができる。
【００１７】
また本発明は、上述した建具において、室内に設けられる天井パネルの水平方向に沿った延長上となる部位に前記外無目枠部が設けられていることを特徴とする。
【００１８】
この発明によれば、室内側から外無目枠部が視認されにくくなり、室内側からのデザイン性を向上することができる。
【００１９】
また本発明は、上述した建具において、前記外枠部分は、前記内枠部分と一体に成形される左右の外縦枠部を有し、上方に向けて凸となるように構成した外横枠部によって前記左右の外縦枠部の上端部間が連結されていることを特徴とする。
【００２０】
この発明によれば、室外側から見た場合に上枠に相当する部分が上方に向けて凸となる建具を提供することが可能となる。
【００２１】
また本発明は、上述した建具において、前記内枠部分と前記外枠部分とによって囲まれる領域がカバーパネルによって覆われていることを特徴とする。
【００２２】
この発明によれば、内枠部分と外枠部分との隙間から建築物の外壁が露出する事態を防止することができる。
【発明の効果】
【００２３】
本発明によれば、外枠部分の形状に関わらず、内枠部分を矩形の枠状に構成しているため、内枠部分の上方に位置する内横枠部に日射を遮る遮蔽装置を配設すれば、日射の影響が室内に及ぶ事態を低減することが可能となる。
【図面の簡単な説明】
【００２４】
【図１】図１は、本発明の実施の形態である建具を適用した建築物の一部を室外側から見た図である。
【図２】図２は、図１におけるＩ−Ｉ線断面図である。
【図３】図３は、図１に示した建築物の縦断面図である。
【図４】図４は、図１に示した建築物に適用される建具を室内側から見た図である。
【図５】図５は、図１に示した建具において外面材及び内面材を省略した枠体を概念的に示すもので、（ａ）は組立状態の斜視図、（ｂ）は分解斜視図である。
【図６】図６は、図１におけるＩＩ−ＩＩ線断面図である。
【図７】図７は、図１におけるＩＩＩ−ＩＩＩ線断面図である。
【図８】図８は、図１におけるＩＶ−ＩＶ線断面図である。
【図９】図９は、図１におけるＶ−Ｖ線断面図である。
【図１０】図１０は、図１におけるＶＩ−ＶＩ線断面図である。
【図１１】図１１は、本発明に係る建具の変形例１を概念的に示した斜視図である。
【図１２】図１２は、本発明に係る建具の変形例２を概念的に示した斜視図である。
【図１３】図１３は、本発明に係る建具の変形例３を概念的に示した斜視図である。
【発明を実施するための形態】
【００２５】
以下、添付図面を参照しながら本発明に係る建具の好適な実施の形態について詳細に説明する。
図１〜図４は、本発明の実施の形態である建具を適用した建築物を示したものである。ここで例示する建具は、建築物の外壁材Ｗに構成される開口部に取り付けられるもので、枠体１０の内部に内面材２０及び外面材３０を備えて構成してある。枠体１０は、内面材２０を支持する内枠部分１１０と、外面材３０を支持する外枠部分１２０とを有したものである。以下、図１〜図１０を適宜参照しながら本発明の特徴部分である枠体１０の構成について詳述する。なお、以下の説明においては便宜上、見込み方向及び見付け方向等の用語を用いる。見込み方向とは、図中の矢印Ａで示すように、建具の奥行きに沿った方向である。見込み方向に沿った面については、見込み面と称する場合がある。見付け方向とは、後述する内上枠部１１１や内下枠部１１２等のように水平に沿った部材の場合、見込み方向に直交した上下に沿う方向であり、内縦枠部１１３等のように上下に沿った部材の場合、見込み方向に直交した水平に沿う方向である。見付け方向に沿った平面については、見付け面と称する場合がある。
【００２６】
内枠部分１１０は、枠体１０において建築物の室内側に配置される部分であり、内上枠部（内横枠部）１１１、内下枠部（内横枠部）１１２及び左右の内縦枠部１１３を備えている。これら内上枠部１１１、内下枠部１１２及び左右の内縦枠部１１３は、それぞれ直線状に延在したもので、矩形枠状の内枠部分１１０を構成している。すなわち、内枠部分１１０は、上下方向に延在する左右の内縦枠部１１３の上端部間を連結するように内上枠部１１１がほぼ水平に設けられ、左右の内縦枠部１１３の下端部間を連結するように内下枠部１１２がほぼ水平に設けられている。内上枠部１１１の室内に臨む見付け面及び内下枠部１１２の室内に臨む見付け面は、内縦枠部１１３の室内に臨む見付け面と同一の平面上に位置している。内上枠部１１１及び内縦枠部１１３は、見込み方向に沿った寸法が互いにほぼ同じとなるように構成してある。これに対して内下枠部１１２は、見込み方向に沿った寸法が、これら内上枠部１１１や内縦枠部１１３の見込み方向に沿った寸法よりも大きく設定してある。
【００２７】
左右の内縦枠部１１３の間には、下方からほぼ２／３の高さとなる部分に内無目枠部１１４が設けてある。内無目枠部１１４は、内上枠部１１１と平行となるように直線状に延在し、内枠部分１１０によって構成された枠内部を上下に分断している。内無目枠部１１４の見込み方向に沿った寸法は、内縦枠部１１３の見込み方向に沿った寸法のほぼ１／２に設定してある。内無目枠部１１４の室内に臨む見付け面は、内縦枠部１１３の室内に臨む見付け面と同一の平面上に位置している。
【００２８】
この内枠部分１１０には、内無目枠部１１４よりも上方となる部分に上方障子２１０が配設してあり、内無目枠部１１４よりも下方となる部分に下方障子２２０が配設してある。上方障子２１０及び下方障子２２０は、上述した内面材２０を構成する要素であり、それぞれが矩形状を成す障子パネル２１１，２２１の四周に上框２１２，２２２、下框２１３，２２３及び左右の縦框２１４，２２４を配設することによって形成してある。図には明示していないが、本実施の形態の上方障子２１０は、上框２１２側を支点として下框２１３が室内側に開くように内枠部分１１０に支持されている。これに対して下方障子２２０は、室内側から見て左側の縦框２２４側を支点として右側の縦框２２４が室内側に開くように内枠部分１１０に支持されている。上方障子２１０を構成するそれぞれの框２１２，２１３，２１４及び下方障子２２０を構成するそれぞれの框２２２，２２３，２２４は、内枠部分１１０に対して閉じた状態にある場合、いずれも室内に臨む見付け面が内枠部分１１０の室内に臨む見付け面と同一の平面上となるように構成してある。なお、内面材２０としてはこれらの構成に限定されることはなく、引き違い窓や上げ下げ窓のようにスライドすることによって内枠部分１１０を開放するものを適用しても良いし、はめ殺し窓のように内枠部分１１０を開放しないものを適用しても構わない。この場合、必ずしも内無目枠部１１４によって上下に分断されている必要はない。
【００２９】
一方、外枠部分１２０は、枠体１０において建築物の室外側に配置される部分であり、左右の外縦枠部１２１、外下枠部１２２及び外上枠部（外横枠部）１２３を備えて構成してある。外縦枠部１２１は、内枠部分１１０の内縦枠部１１３と一体に成形された共通枠部分であり、内縦枠部１１３に対してほぼ３／４の長さに構成してある。より具体的に説明すると、外縦枠部１２１は、中空部１２１ａを有した角筒状を成すもので、下端が内縦枠部１１３とほぼ一致し、上端が内縦枠部１１３分の上端よりも低い位置で終端している。外縦枠部１２１の見込み方向に沿った寸法は、内縦枠部１１３の見込み方向に沿った寸法に対してほぼ１／２となるように設定してある。上述した内枠部分１１０の内下枠部１１２は、内縦枠部１１３及び外縦枠部１２１の見込み方向に沿った寸法の和にほぼ等しい見込み寸法に構成してある。
【００３０】
外枠部分１２０の外下枠部１２２は、直線状に延在したもので、左右の外縦枠部１２１の下端部間を連結するように配設してある。図からも明らかなように、外下枠部１２２の見込み方向に沿った寸法は、下方障子２２０を構成する下框２２３の見込み方向に沿った寸法とほぼ等しく設定してある。この外下枠部１２２は、内下枠部１１２の上面との間に通気口１２４となる隙間を確保し、かつ下方障子２２０を構成する下框２２３の室外に臨む見付け面との間に隙間を確保した位置に取り付けてある。
【００３１】
外上枠部１２３は、外縦枠部１２１の上端部間を接続するものであり、上方に向けて凸となるように湾曲したアーチ状を成している。外上枠部１２３の両端部は、同一の方向に向けてほぼ平行に延在しており、個々の先端部に連結挿入部１２３ａを有している。連結挿入部１２３ａは、上述した外縦枠部１２１の中空部１２１ａに嵌合することのできる寸法に形成した部分である。外上枠部１２３の上下方向に沿った寸法ｈ１は、外縦枠部１２１の上端から内上枠部１１１の上端までの距離ｈ２にほぼ等しく、外上枠部１２３の左右方向に沿った寸法ｗ１は、外縦枠部１２１の外周側に位置する見込み面の相互間隔ｗ２にほぼ等しい。外上枠部１２３の見込み方向に沿った寸法ｄ１は、外縦枠部１２１の見込み方向に沿った寸法ｄ２とほぼ等しくなるように設定してある。上述の構成を有する外上枠部１２３は、個々の先端部に設けた連結挿入部１２３ａを中空部１２１ａに嵌合させた状態で外縦枠部１２１に連結してある。
【００３２】
外上枠部１２３には、外無目枠部１２５及びカバーパネル１２６が設けてある。外無目枠部１２５は、外上枠部１２３の上方部に内上枠部１１１と平行となるように直線状に延在したもので、外枠部分１２０によって構成された枠内部を上下に分断している。本実施の形態では、建築物の室内空間に設置される天井パネルＲの水平方向に沿った延長上となる高さ位置に外無目枠部１２５を配設するようにしている。天井パネルＲは、上階の梁Ｈに設けた床スラブＦを覆い隠すためのパネルである。本実施の形態では、室外側に位置する縁部分が上方に向けて漸次上方となるように傾斜し、最も室外側に位置する端縁が内上枠部１１１とほぼ同じ高さとなるように天井パネルＲが設けてある。
【００３３】
上述した内枠部分１１０を構成する内上枠部１１１、内下枠部１１２及び左右の内縦枠部１１３、内枠部分１１０に設けた内無目枠部１１４、外枠部分１２０を構成する左右の外縦枠部１２１及び外下枠部１２２、外枠部分１２０に設けた外無目枠部１２５は、アルミニウム合金等の金属によって成形した押し出し形材であり、長手方向の全長にわたってほぼ一様な断面形状を有するように構成してある。また、上方に向けて凸となる外上枠部１２３は、アルミニウム合金等の金属によって成形した押し出し形材に対して、さらに曲げ加工を施すことによって構成してある。
【００３４】
カバーパネル１２６は、内枠部分１１０と外上枠部１２３とによって囲まれる２つの領域を閉塞する薄板部材であり、内枠部分１１０との間及び外上枠部１２３との間にそれぞれ止水材１２７を介在させた状態で内枠部分１１０及び外上枠部１２３に取り付けてある。
【００３５】
この外枠部分１２０には、外無目枠部１２５よりも上方となる部分に上方面材部３１０が配設してあり、外無目枠部１２５よりも下方となる部分に下方面材部３２０が配設してある。上方面材部３１０及び下方面材部３２０は、上述した外面材３０を構成する要素であり、同一の板厚を有したガラスパネルである。本実施の形態では、上方面材部３１０及び下方面材部３２０個々の周縁部を外枠部分１２０及び外無目枠部１２５に装着することによって外無目枠部１２５の上下にそれぞれ嵌め殺し窓を構成している。上方面材部３１０の室外に臨む表面及び下方面材部３２０の室外に臨む平面は、互いに同一の平面上に位置している。
【００３６】
図からも明らかなように、外無目枠部１２５には、通気通路１２５ａが設けてある。通気通路１２５ａは、外面材３０と内面材２０との間に構成される空間を上方部において外部に連通させるためのもので、外無目枠部１２５の上面から前面にわたる部位に構成してある。
【００３７】
さらにこの建具には、内上枠部１１１において外面材３０と内面材２０との間の空間に位置する下面にブラインド装置（遮蔽装置）５０が配設してある。ブラインド装置５０は、左右の内縦枠部１１３の相互間隔よりもわずかに小さい長手寸法を有した複数のスラット（遮蔽部材）５１を水平に積層するとともに、昇降可能に支持した横型ブラインド装置５０と称されるものである。
【００３８】
ここで、内枠部分１１０の内上枠部１１１は、上述したように、直線状を成すもので、左右の内縦枠部１１３の上端部間を連結するように設けられたものである。従って、外枠部分１２０の外上枠部１２３が上方に向けて凸となるアーチ状に形成されているものの、内上枠部１１１の下面に対しては、左右の内縦枠部１１３の相互間隔よりもわずかに小さい長手寸法を有したスラット５１を備えるブラインド装置５０を隙間無く取り付けることが可能である。これにより、スラット５１を最も上方に移動させた場合には、最下位のスラット５１が外無目枠部１２５よりも上方に位置した状態に収容させることが可能となる。一方、ブラインド装置５０のスラット５１を最も下方に移動させた場合には、最下位のスラット５１が外下枠部１２２の上面とほぼ同じ高さに位置した状態となる。従って、この状態からスラット５１の姿勢を上下に沿った起立姿勢に変更すれば、建具を通じた室内側への日射の進入を防止することができる。
【００３９】
日射を受けたスラット５１は、漸次温度が上昇することになる。しかしながら、この建具においては、上方障子２１０及び下方障子２２０を閉じた状態に維持すれば、スラット５１の熱が室内に伝達される事態を低減することができる。しかも、外下枠部１２２と内下枠部１１２との間に通気口１２４が確保されているとともに、上方の外無目枠部１２５に通気通路１２５ａが設けてある。従って、外面材３０と内面材２０との間の空間においては、スラット５１の温度が上昇すると、対流により通気口１２４から外気が導入される一方、空間内部の空気が外無目枠部１２５の通気通路１２５ａから外部に排出されることになる。従って、この建具によれば、スラット５１の温度上昇が室内に及ぼす影響を低減することができる。
【００４０】
さらに、この建具において建築物の外部に露出するのは外枠部分１２０のみであり、矩形の枠状に構成した内枠部分１１０が外部に現れることがない。従って、上述の建具を適用すれば、建築物の外観上においては、上方に向けて凸となるアーチ状の外上枠部１２３によってデザイン性を高めることが可能となる。
【００４１】
なお、上述した実施の形態では、上方に向けて凸となるように湾曲したアーチ状の外上枠部１２３を備えた外枠部分１２０を例示しているが、本発明はこれに限定されない。例えば、図１１に示す変形例１のように、２本の直線状を成す外上枠構造材２２３ａを連結することによって上方に向けて凸となる略三角形状の外上枠部２２３を構成しても良いし、図１２に示す変形例２のように、多数の直線状を成す外上枠構造材３２３ａを連結することによって上方に向けて凸となる略多角形状の外上枠部３２３を構成しても良い。また、図１３に示す変形例３のように、内枠部分１１０の内上枠部１１１に沿って配置される上部外上枠構造材４２３ａと、上部外上枠構造材４２３ａの両端部からそれぞれ下方に向けて漸次傾斜する側部外上枠構造材４２３ｂとを備えた上方に向けて凸となる略台形状の外上枠部４２３を構成することも可能である。図には明示していないが、これら変形例１〜変形例３において外上枠部２２３，３２３，４２３と外縦枠部１２１との連結は、実施の形態で示したものと同様、外上枠部２２３，３２３，４２３の両端部に連結挿入部を構成し、これを外縦枠部１２１の中空部に嵌合させれば良い。なお、変形例１〜変形例３において実施の形態と同様の構成については、同一の符号を付してそれぞれの詳細説明を省略している。
【００４２】
また、上述した実施の形態及び変形例１〜変形例３では、外上枠部１２３，２２３，３２３，４２３のみが異形となる外枠部分１２０を例示しているが、外上枠部１２３，２２３，３２３，４２３に加えて外下枠部１２２や外縦枠部１２１が異形となる外枠部分を有した建具を構成することも可能である。この場合、外枠部分は、その外形が内枠部分の外形を越えないように構成することが好ましい。さらに、遮蔽装置として横型のブラインド装置５０を適用しているため、スラット５１を適宜昇降させることによって日射を遮る状態と日射を遮らない状態とに容易に切り替えることが可能となる。しかしながら、遮蔽装置としては必ずしも横型のブラインド装置５０を適用する必要はなく、例えばスラットが上下に沿って配置された縦型のブラインド装置や遮熱性を有する材料によって成形されたスクリーンを適用しても良い。
【００４３】
またさらに、上述した実施の形態では、内枠部分１１０に対して内面材２０が開放可能となるように構成しているため、内面材２０を開放することにより、外面材３０の室内に臨む表面等、外面材３０と内面材２０との間の空間を清掃することが可能となる。しかしながら、本発明では必ずしも内面材２０が開放可能に支持されている必要はない。なお、内面材２０が開放する場合に上述した実施の形態では、内枠部分１１０に内無目枠部１１４を設けているため、内面材２０の開放単位が上方障子２１０及び下方障子２２０のように小さくなるばかりでなく、内無目枠部１１４によって分断された上方障子２１０及び下方障子２２０を互いに開閉方向が異なるように支持させることが可能となり、室内側に確保する内面材２０の開放スペースを低減することができるようになる。しかしながら、本発明では必ずしも内枠部分１１０に内無目枠部１１４が設けられている必要はない。
【００４４】
さらに、上述した実施の形態及び変形例１〜変形例３では、通気通路１２５ａが構成された外無目枠部１２５を適用するとともに、外枠部分１２０の下方部に通気口１２４を確保するようにしているため、外面材３０と内面材２０との間に外気を流通させることが可能となるが、本発明では必ずしも通気通路１２５ａを有した外無目枠部１２５を適用したり、外枠部分１２０の下方部に通気口１２４を確保したりする必要はない。なお、外無目枠部１２５を設ける場合に上述した実施の形態では室内に設けられた天井パネルＲの延長上となる部位に配設しているため、室内側から外無目枠部１２５が視認されにくくなり、室内側からのデザイン性を向上することができる。しかしながら、本発明は必ずしもこれに限定されない。
【００４５】
またさらに、上述した実施の形態及び変形例１〜変形例３では、内枠部分１１０と外枠部分１２０とによって囲まれる領域をカバーパネル１２６によって覆うようにしている。従って、内枠部分１１０と外枠部分１２０とによって囲まれる領域から外壁材Ｗが露出する事態を招来するおそれがないが、カバーパネル１２６は省略することも可能である。
【符号の説明】
【００４６】
１０  枠体、２０  内面材、３０  外面材、５０  ブラインド装置、５１  スラット、１１０  内枠部分、１１１  内上枠部、１１２  内下枠部、１１３  内縦枠部、１１４  内無目枠部、１２０  外枠部分、１２１  外縦枠部、１２３，２２３，３２３，４２３  外上枠部、１２４  通気口、１２５  外無目枠部、１２５ａ  通気通路、１２６  カバーパネル、２１０  上方障子、２２０  下方障子、Ｒ  天井パネル
【図１】
2018071285.tif 000003
【図２】
2018071285.tif 000004
【図３】
2018071285.tif 000005
【図４】
2018071285.tif 000006
【図５】
2018071285.tif 000007
【図６】
2018071285.tif 000008
【図７】
2018071285.tif 000009
【図８】
2018071285.tif 000010
【図９】
2018071285.tif 000011
【図１０】
2018071285.tif 000012
【図１１】
2018071285.tif 000013
【図１２】
2018071285.tif 000014
【図１３】
2018071285.tif 000015